(57)【要約】【課題】本発明は、カメラシステム等のコントロールユニット（コントロールパネル）に設けられ、コントロールパネルより突出したレバーを操作し可変抵抗器を制御するジョイスティック装置の構造において、レバー操作量を歯車を介さずに可変抵抗器に伝達することで、構造を簡素化することができる。【解決手段】前後若しくは左右方向の所定区間を可動可能なレバー部と、該レバー部の可動に伴い増幅率が可変する可変抵抗器を備えたジョイスティック装置において、前記レバー部の所定の位置に回転軸を設け、該回転軸は前記可変抵抗器の可変つまみ部に直接嵌合する形状であることを特徴とする。【選択図】図１
2011118741.tif 000002
【特許請求の範囲】
【請求項１】
前後若しくは左右方向の所定区間を可動可能なレバー部と、
該レバー部の可動に伴い増幅率が可変する可変抵抗器を備えたジョイスティック装置において、
前記レバー部の所定の位置に回転軸を設け、該回転軸は前記可変抵抗器の可変つまみ部に直接嵌合する形状であることを特徴とするジョイスティック装置。
【請求項２】
カメラを制御するカメラコントロールユニットにおいて、
該カメラコントロールユニットは、少なくともカメラ機能の複数の制御を行うジョイスティック装置を備え、
該ジョイスティック装置は、前後若しくは左右方向の所定区間を可動可能なレバー部と、
該レバー部の可動に伴い増幅率が可変する可変抵抗器を備え、
前記レバー部の所定の位置に回転軸を設け、該回転軸は前記可変抵抗器の可変つまみ部に直接嵌合する形状であることを特徴とするジョイスティック装置を備えたカメラコントロールユニット。
【発明の詳細な説明】
【技術分野】
【０００１】
本発明は、ジョイスティック装置に関し、特に例えばカメラシステム等のコントロールユニットに設けられるジョイスティック装置、及びカメラコントロールユニットに関するものである。
【背景技術】
【０００２】
図３は、カメラコントロールユニットにおける従来のジョイスティック装置を示す。
ジョイスティック装置は、コントロールユニットに内蔵しており、コントロールパネルより突出したレバー部を傾斜させるボリューム調整機能３１、レバー部の一部分を回転させるボリューム調整機能３２、レバー部の全体もしくは一部分を押すスイッチング動作機能３３、といった各機能を操作することによる動作により、複数のボリューム調整機能とスイッチング動作機能を有している。
ここで、ボリューム調整には可変抵抗器等が用いられ、レバー部を傾斜させてボリューム調整をする機能（ボリューム調整機能３１）は、歯車を用いた構造によるものが用いられている。
【０００３】
図２は、カメラコントロールユニットにおける従来のジョイスティック装置の構造を示す。
ボリューム調整機能３１に歯車を用いている場合、歯車比によりレバー部操作量を増幅し可変抵抗器等へ伝達が可能であり、また、レバー部への衝撃が可変抵抗器等に伝わりにくい、といったメリットはあるが、一方、使用部品の形状、構造が複雑であり、また、回転中心が２箇所となり構造が複雑となってしまい、組立工数が多く、原価高となる要因がデメリットとして上げられる。
【０００４】
なお、特許文献１には、上記した図３、図２に示した従来のジョイススティック装置に関する技術が開示されている。
【０００５】
【特許文献１】特開２００４−３１０２９９号公報
【発明の概要】
【発明が解決しようとする課題】
【０００６】
上述したように従来は、使用部品の形状、構造が複雑であり、また、回転中心が２箇所となり構造が複雑となってしまい、組立工数が多く、原価高であったという課題があった。
【０００７】
本発明の目的は上述した従来のデメリットである、使用部品の形状、構造が複雑であり、また、回転中心が２箇所となり構造が複雑となってしまい、組立工数が多く、原価高であったという問題点について、複雑な構造となる歯車を採用しないことで、使用部品の形状、構造を簡素化して全体構造を簡素化し、さらに、組立工数を少なくすることで原価高となる要因を排除したジョイスティック装置、及び、カメラコントロールユニットを提供することにある。
【課題を解決するための手段】
【０００８】
課題を解決するための本発明は、前後若しくは左右方向の所定区間を可動可能なレバー部と、該レバー部の可動に伴い増幅率が可変する可変抵抗器を備えたジョイスティック装置において、前記レバー部の所定の位置に回転軸を設け、該回転軸は前記可変抵抗器の可変つまみ部に直接嵌合する形状であることを特徴とする。
【０００９】
また、課題を解決するための本発明は、カメラを制御するカメラコントロールユニットにおいて、該カメラコントロールユニットは、少なくともカメラ機能の複数の制御を行うジョイスティック装置を備え、該ジョイスティック装置は、前後若しくは左右方向の所定区間を可動可能なレバー部と、該レバー部の可動に伴い増幅率が可変する可変抵抗器を備え、前記レバー部の所定の位置に回転軸を設け、該回転軸は前記可変抵抗器の可変つまみ部に直接嵌合する形状であることを特徴とするジョイスティック装置を備える。
【発明の効果】
【００１０】
本発明によると、カメラシステム等のコントロールユニット（コントロールパネル）に設けられ、コントロールパネルより突出したレバーを操作し可変抵抗器を制御するジョイスティック装置の構造において、レバー操作量を歯車を介さずに可変抵抗器に伝達することで、構造を簡素化することができる。
またこれにより、原価が高くなる要因を排除し、安定した動作が可能なジョイスティック装置を実現することができる。
【図面の簡単な説明】
【００１１】
【図１】本発明の実施の形態であるジョイスティック概略断面図（側面、正面）
【図２】従来のジョイスティック概略断面図例（側面）
【図３】カメラシステムのコントロールユニット（側面）
【図４】本発明の実施の形態であるカメラシステムのコントロールユニットの機能図
【図５】本発明の実施の形態であるジョイスティックの可変抵抗器との連結構造図
【図６】本発明の実施の形態であるカメラシステムのコントロールユニット（上面）
【発明を実施するための形態】
【００１２】
以下、図面を参照して本発明の実施形態について詳細に説明する。
本発明の実施の形態は、例えばカメラシステム等のコントロールユニットに設けられるジョイスティック装置に関するものである。
【００１３】
図１は、本発明の実施の形態であるジョイスティック概略断面図（側面、正面）を示す。
本実施の形態では、レバー部を回転軸に連結し、軸受１、２により回転軸を保持し、可変抵抗器は回転軸と連結することで、レバー操作量を可変抵抗器に伝達する。
また、可変抵抗器と回転軸の間にはバネ性を有したリングを設けている。
【００１４】
図５は、本発明の実施の形態であるジョイスティックの可変抵抗器との連結構造図を示す。
可変抵抗器は可変操作つまみが突起しており、該突起部分がレバー部の回転軸の嵌合部と連結しており、レバー部が回動する動作に応じて可変操作つまみが回動し、可変抵抗器の抵抗値が可変する。
【００１５】
次に、この作用を説明する。
レバー部を操作すると回転軸を介してレバー操作量が可変抵抗器に伝達され、この時レバー部操作量の増幅は、従来の歯車比ではなく、可変抵抗器の操作つまみの回動に応じた電気的な信号処理、すなわち抵抗値が可変されることにより行われる。
【００１６】
これにより、ジョイスティック装置の構造において、レバー操作量を歯車を介さずに可変抵抗器に伝達する構造とし、構造を簡素化する事が可能となる。
また、レバー操作量を可変抵抗器に伝達する回転軸と、可変抵抗器の接続にバネ性を有したリングを用いることで、レバー操作のガタ防止をするとともに、レバーに加わる衝撃が可変抵抗器へ伝達することを防止することが可能となる。
【００１７】
このように図１や図５に示す本発明の実施の形態によると、前述した従来のジョイスティック装置（図２）と比較し、レバー操作量を可変抵抗器に伝達するために歯車を採用せず、従来２箇所ある回転中心を１箇所としているため、簡素化した構造を実現している。
【００１８】
図４は、本発明の実施の形態であるカメラシステムのコントロールユニットの機能図を示す。
本発明の実施例であるカメラシステムは、カメラ（撮像部）と、コントロールユニットと、表示部と、より構成される。
また、本発明の実施例であるコントロールユニットは、コントロールパネルと、ジョイスティック装置と、動作確認表示部より構成される。
カメラには、例えばアイリス、マスタブラック、フォーカス、シャッタスピード、といった各制御を必要とする機能を有している。
表示部が、前記カメラが撮像した画像を表示するものであり、また、カメラの前記各制御の状態、カメラの機能毎にどのような制御がされているかを表示するものである。
コントロールユニットは、前述した図３で説明した他、カメラ及び表示部を制御することができ、撮像画面の表示、カメラ制御状態の表示、これらの切り替え表示や重畳表示を行わせる制御をすることができる。
【００１９】
図６は、本発明の実施の形態であるカメラシステムのコントロールユニット（上面）を示す。
本実施例では、前述した図３（側面の説明）と合わせて説明する。
動作確認表示部は、操作ボタンやジョイスティック装置の動作をＬＥＤ発光などの発光状態などで表示するものである。
【００２０】
つぎにジョイスティック装置のレバーを動作した場合について説明する。
ジョイスティック装置のレバーを前後（すなわち図６では左右）に動作した場合において、前後の動作はカメラのアイリス調整を行い、また、レバーの回転動作はマスタブラック調整を行い、レバー部上部からのスイッチングを押下することで操作の完了、若しくは操作の決定を行うものである。
また、ジョイスティックのレバーを前後に操作する場合、予め印刷等がされたスケール（目盛り）に沿ってコントロールパネルの可動溝に沿ってレバーが動作される。
これは前述した図３のボリューム調整機能３１に相当する動作となる。
【００２１】
また、レバー（上部の円形部分）を回転させることで、予め印刷等がされたスケール（目盛り）に沿ってマスタブラックが調整される。
これは前述した図３のボリューム調整機能３２に相当する動作となる。
なお、ボリューム調整機能３２では、レバー上部の内部に可変抵抗器（図示せず）が組み込まれており、配線を通して可変抵抗の信号が出力されるものである。
【００２２】
ここで、操作パネルの操作ボタンに基づいて、ジョイスティック装置の動作を他の調整を行わせるように切り替えることができる。
例えば、アイリス調整やマスタブラック調整の他、前述した図４に示すフォーカス調整、シャッタスピード調整、または他の各種のカメラの機能の組合せたものを操作ボタンによりジョイスティック装置に設定し、各種の調整を行うことができる。
【００２３】
またここで、ジョイスティック装置の動作が、何れの制御を行わせるかを操作パネルにより決定し、例えばＬＥＤ発光の状態に応じて、制御状態を表示させることができ、操作者が現在のジョイスティック装置の機能を視認することができる。
なお、前述した図４におけるカメラシステムの表示部は、撮像している画像、もしくは、撮像して記憶している画像を表示させるものであるが、操作パネルの操作に応じて、コントロールユニット（ジョイスティック装置）の動作状態を表示することができる。
【００２４】
本発明の実施の形態によると、カメラシステム等のコントロールパネルに設けられ、コントロールパネルより突出したレバーを操作し可変抵抗器を制御するジョイスティック装置の構造において、レバー操作量を歯車を介さずに可変抵抗器に伝達する構造とすることで、構造を簡素化したことを特徴とするジョイスティック装置を提供することができる。
また、レバー操作量を可変抵抗器に伝達する回転軸と、可変抵抗器の接続にバネ性を有したリングを用いることで、レバー操作のガタ防止をするとともに、レバーに加わる衝撃が可変抵抗器へ伝達することを防止することを特徴とするジョイスティック装置である。
【００２５】
また、本発明の実施の形態によると、カメラシステム等のコントロールパネルに設けられ、コントロールパネルより突出したレバーを操作し可変抵抗器を制御するジョイスティック装置の構造において、レバー操作量を歯車を介さずに可変抵抗器に伝達する構造とすることで、構造を簡素化し、原価が高くなる要因を排除したジョイスティック装置を提供することができる。
【符号の説明】
【００２６】
ボリューム調整機能：３１、ボリューム調整機能：３２、スイッチング動作機能：３３。
【図１】
2011118741.tif 000003
【図２】
2011118741.tif 000004
【図３】
2011118741.tif 000005
【図４】
2011118741.tif 000006
【図５】
2011118741.tif 000007
【図６】
2011118741.tif 000008